(57)【要約】【課題】ＩＣトークンの利用履歴を同じ移動体通信端末に搭載された他のＩＣトークンにバックアップ保存することのできる移動体通信端末を提供する。【解決手段】ＩＣカードの技術が適用されたデバイスであるＩＣトークン２を複数搭載可能に設計された移動体通信端末１は、同期トリガーが発生すると、移動体通信端末１に搭載されているＩＣトークン２毎に、ＩＣトークン２の利用履歴を読み出し、読み出した利用履歴を他のＩＣトークン２へ保存する同期手段１０を備えている。【選択図】図３
2014075732.tif 000002
【特許請求の範囲】
【請求項１】
ＩＣカードの技術が適用されたデバイスであるＩＣトークンを複数搭載可能に設計された移動体通信端末であって、前記ＩＣトークンの利用履歴を同じ移動体通信端末に搭載された他の前記ＩＣトークンにバックアップ保存できるように、同期トリガーが発生すると、前記移動体通信端末に搭載されている前記ＩＣトークン毎に、前記ＩＣトークンの利用履歴を読み出し、読み出した利用履歴を他の前記ＩＣトークンへ保存する同期手段を備えたことを特徴とする移動体通信端末。
【請求項２】
前記同期手段は、着脱可能な前記ＩＣトークンが前記移動体通信端末にマウントされたことを少なくとも同期トリガーとすることを特徴とする、請求項１に記載の移動体通信端末。
【請求項３】
前記同期手段は、同期対象となる利用履歴を予めユーザに指定させる同期対象指定部を有し、前記同期対象指定部により指定された利用履歴のみを前記ＩＣトークン間で同期させることを特徴とする、請求項１または２に記載の移動体通信端末。
【請求項４】
前記同期手段は、前記ＩＣトークン間で利用履歴を同期させた後、同期させた利用履歴を前記ＩＣトークン間で比較し、前記ＩＣトークン間で不整合が生じている利用履歴があれば、この利用履歴を表示してユーザに正しい利用履歴を選択させ、不整合が生じている利用履歴をユーザが選択した利用履歴に統一する処理を行うことを特徴とする、請求項１乃至３のいずれか一項に記載の移動体通信端末。
【請求項５】
前記同期手段は、利用履歴に加え、前記ＩＣトークンのアプリケーション情報を前記ＩＣトークン間で同期させることを特徴とする、請求項１乃至４のいずれか一項に記載の移動体通信端末。
【請求項６】
前記同期手段は、利用履歴を読み出す前記ＩＣトークンの動作を検証し、動作の検証結果を他の前記ＩＣトークンに保存することを特徴とする、請求項１乃至４のいずれか一項に記載の移動体通信端末。
【発明の詳細な説明】
【技術分野】
【０００１】
本発明は、携帯電話やスマートフォンなどの移動体通信端末に搭載されたＩＣトークンの利用履歴を管理する技術に関する。
【背景技術】
【０００２】
現在、携帯電話やスマートフォンなどの移動体通信端末は様々なＩＣトークンを搭載可能に設計されている。ここで、ＩＣトークンとは、ＩＣカードの技術が適用されたデバイスを意味し、例えば、世界的に普及している第三世代携帯電話システムでは、携帯電話の加入者認証用デバイスとして、ＩＣトークンの一つであるＳＩＭ（Subscriber Identification Module）カードが使われている。
【０００３】
また、近年の移動体通信端末は、交通用途や電子マネーで利用されている非接触ＩＣカードのＩＣチップを移動体通信端末用に改造した近距離無線通信デバイスを内蔵しているものが多く、このような近距離無線通信デバイスとしては、ＦｅｌｉＣａ（登録商標）のモバイル用ＩＣチップが有名である。
【０００４】
更に、近年の移動体通信端末は、ＳＤカード、ｍｉｃｒｏＳＤカード等のメモリーカードを補助記録装置として利用できるものが多く、ＩＣトークンとして、ＩＣカード用のＩＣチップを実装したセキュアメモリカードも開発されている。
【０００５】
上記のように、様々なＩＣトークンが開発されているため、一台の移動体通信端末は複数のＩＣトークンを搭載可能で、市販されている多くの移動体通信端末では、ＩＣトークンとして、ＳＩＭカード、近距離無線通信デバイスおよびセキュアメモリカードの３つを搭載できる。
【０００６】
移動体通信端末に搭載したＩＣトークンは、ＩＣトークンに対応した用途で利用され、何らかのトラブルが発生した際、トラブルの原因解析やＩＣトークンを利用した取引解析が行えるように、「加入者が、どのＩＣトークンを使って、どのアプリケーションで、いつ、どんな作業を行った」等の情報を示すＩＣトークンの利用履歴を保存することが必要とされている。
【０００７】
ＩＣトークンの中には単独で動作するものもあるが、多くの場合、ＩＣトークンは、ＩＣトークンの用途に応じて、移動体通信端末、または、移動体通信端末を介してネットワーク上のサーバと通信する。このため、移動体通信端末に実装されたＩＣトークンの利用履歴は、ネットワーク上のサーバか移動体通信端末のメモリに保存されることが一般的である。
【０００８】
例えば、特許文献１には、ＩＣトークンを利用した電子マネーの取引履歴をサーバに保存する旨が記載されている。また、特許文献２には、ＩＣトークンから読み出した個人情報と通信利用情報を移動体通信端末の不揮発性メモリに保存する旨が記載されている。
【０００９】
しかしながら、移動体通信端末に実装されたＩＣトークンの利用履歴をネットワーク上のサーバに保存すると、該サーバにアクセスできなければＩＣトークンの利用履歴を参照することができないし、また、移動体通信端末に実装されたＩＣトークンの利用履歴を移動体通信端末のメモリに保存すると、移動体通信端末が故障した場合、ＩＣトークンの利用履歴を参照することができなくなってしまう。
【００１０】
このようなことを考えると、特許文献３のように、ＩＣトークンの利用履歴をＩＣトークン自身に保存することも考えられるが、ＩＣトークンの利用履歴をＩＣトークン自身に保存すると、当然のことながら、ＩＣトークンが故障した際、ＩＣトークンの利用履歴を参照できなくなってしまう。
【先行技術文献】
【特許文献】
【００１１】
【特許文献１】特開２００４−２７２５６０号公報
【特許文献２】特開２０１０−１７７７２０号公報
【特許文献３】特開２００９−５４０９０号公報
【発明の概要】
【発明が解決しようとする課題】
【００１２】
そこで、本発明は、複数のＩＣトークンを搭載可能に設計された移動体通信端末において、ＩＣトークンの利用履歴を同じ移動体通信端末に搭載された他のＩＣトークンにバックアップ保存することのできる移動体通信端末を提供することを目的とする。
【課題を解決するための手段】
【００１３】
上述した課題を解決する第１の発明は、ＩＣカードの技術が適用されたデバイスであるＩＣトークンを複数搭載可能に設計された移動体通信端末であって、前記ＩＣトークンの利用履歴を同じ移動体通信端末に搭載された他の前記ＩＣトークンにバックアップ保存できるように、同期トリガーが発生すると、前記移動体通信端末に搭載されている前記ＩＣトークン毎に、前記ＩＣトークンの利用履歴を読み出し、読み出した利用履歴を他の前記ＩＣトークンへ保存する同期手段を備えたことを特徴とする。
【００１４】
更に、第２の発明は、第１の発明に記載した移動体通信端末において、着脱可能な前記ＩＣトークンであっても、着脱可能な前記ＩＣトークンの利用履歴を同期できるように、前記同期手段は、着脱可能な前記ＩＣトークンが前記移動体通信端末にマウントされたことを少なくとも同期トリガーとすることを特徴とする。
【００１５】
更に、第３の発明は、第１の発明または第２の発明に記載の移動体通信端末において、ユーザが指定した利用履歴のみを同期できるように、前記同期手段は、同期対象となる利用履歴を予めユーザに指定させる同期対象指定部を有し、前記同期対象指定部により指定された利用履歴のみを前記ＩＣトークン間で同期させることを特徴とする。
【００１６】
更に、第４の発明は、第１の発明から第３の発明のいずれか一つに記載の移動体通信端末において、前記ＩＣトークン間における利用履歴の不整合を補正できるように、前記同期手段は、前記ＩＣトークン間で利用履歴を同期させた後、同期させた利用履歴を前記ＩＣトークン間で比較し、前記ＩＣトークン間で不整合が生じている利用履歴があれば、この利用履歴を表示してユーザに正しい利用履歴を選択させ、不整合が生じている利用履歴をユーザが選択した利用履歴に統一する処理を行うことを特徴とする。
【００１７】
更に、第５の発明は、第１の発明から第４の発明のいずれか一つに記載の移動体通信端末において、前記ＩＣトークン内のアプリケーション情報も前記ＩＣトークン間で同期が取れるように、前記同期手段は、利用履歴に加え、前記ＩＣトークンのアプリケーション情報を前記ＩＣトークン間で同期させることを特徴とする。
【００１８】
更に、第６の発明は、第１の発明から第４の発明のいずれか一つに記載の移動体通信端末において、前記ＩＣトークンの動作状況をも前記ＩＣトークン間で同期が取れるように、前記同期手段は、利用履歴を読み出す前記ＩＣトークンの動作を検証し、動作の検証結果を他の前記ＩＣトークンに保存することを特徴とする。
【発明の効果】
【００１９】
このように、上述した本発明によれば、移動体通信端末の同期手段が、同期トリガーが発生すると、移動体通信端末に搭載されているＩＣトークン毎に、ＩＣトークンの利用履歴を読み出し、読み出した利用履歴を他のＩＣトークンへ保存することで、ＩＣトークンの利用履歴を同じ移動体通信端末に搭載された他のＩＣトークンにバックアップ保存できる。
【図面の簡単な説明】
【００２０】
【図１】本実施形態にかかる移動体通信端末を説明する図。
【図２】本実施形態にかかる移動体通信端末のハードウェアブロック図。
【図３】本実施形態にかかる移動体通信端末の機能ブロック図。
【図４】ＩＣトークンに記憶される利用履歴を説明する図。
【図５】ＩＣトークン間で利用履歴を同期する内容を説明する図。
【図６】移動体通信端末の同期手段が実行する処理を説明するフロー図。
【発明を実施するための形態】
【００２１】
ここから、本発明の好適な実施形態について、図面を参照しながら詳細に説明する。
【００２２】
図１は、本実施形態にかかる移動体通信端末１を説明する図で、図２は、本実施形態にかかる移動体通信端末１のハードウェアブロック図で、図３は、本実施形態にかかる移動体通信端末１の機能ブロック図である。
【００２３】
本実施形態において、移動体通信端末１とは、公衆無線通信機能を有する端末装置で、具体的には、携帯電話、スマートフォンおよびタブレットコンピュータなどを意味する。
【００２４】
本実施形態にかかる移動体通信端末１は、ＩＣカードの技術が適用されたデバイスであるＩＣトークン２を搭載できるように設計され、図１に図示した移動体通信端末１の基板には、ＩＣトークン２として、通信距離が１０ｃｍ程度の近距離無線通信の国際標準規格であるＮＦＣ（Near Field Communication）に準じた近距離無線通信デバイス２ｂが搭載されている。
【００２５】
更に、図１に図示した移動体通信端末１の基板には、ＳＩＭカードスロット１ｇとメモリカードスロット１ｈが設けられ、ＩＣトークン２として、移動体通信端末１の加入者の認証用デバイスであるＳＩＭカード２ａと、ＩＣカード用のＩＣチップが実装されたメモリカードであるセキュアメモリカード２ｃが移動体通信端末１に搭載されている。なお、本出願人は、このようなセキュアメモリカード２ｃとして、ＩＣカード用の高セキュリティなオペレーティングシステムである「ＭＵＬＴＯＳ（登録商標）」に対応した「ＴｉｎｙＳｍaｒｔ（登録商標）」をすでに販売している。
【００２６】
図２に図示したように、移動体通信端末１は、ＣＰＵ、ＲＡＭ、ＲＯＭなどが実装されたプロセッサ１ａを備え、このプロセッサ１ａには、公衆無線通信にかかる処理を行う無線通信回路１ｂ、時間を計測する時計回路１ｃ、液晶や有機ＥＬなどのディスプレイ１ｄ、タッチパネルなどの操作回路１ｅ、既に上述しているＳＩＭカードスロット１ｇとメモリカードスロット１ｈに加え、ＩＣトークン２として、近距離無線通信デバイス２ｂが接続されている。また、移動体通信端末１のプロセッサ１ａには、ＳＩＭカード２ａがＳＩＭカードスロット１ｇを介して接続され、更に、セキュアメモリカード２ｃがメモリカードスロット１ｈを介して接続されている。
【００２７】
本実施形態にかかる移動体通信端末１は、移動体通信端末１に搭載されているＩＣトークン２間で利用履歴の同期が取れるように開発された端末装置で、図３に図示したように、ＩＣトークン２間で少なくとも利用履歴を同期させる手段として同期手段１０を備えている。なお、移動体通信端末１の同期手段１０は、移動体通信端末１のプロセッサ１ａ上で動作するコンピュータプログラムにより実現される。
【００２８】
まず、ＩＣトークン２に記憶される利用履歴について説明する。図４は、ＩＣトークン２に記憶される利用履歴を説明する図である。
【００２９】
図４（ａ）は、ＩＣトークン２に記憶される利用履歴を説明する図で、図４（ａ）に図示したように、一つのＩＣトークン２には、ＩＣトークン２が利用された履歴である利用履歴が保存され、更に、移動体通信端末１に搭載された他のＩＣトークン２の利用履歴が記憶される。
【００３０】
図４（ｂ）は、ＳＩＭカード２ａに記憶される利用履歴を説明する図である。ＳＩＭカード２ａを例に取れば、図４（ｂ）に図示したように、ＳＩＭカード２ａには、ＳＩＭカード２ａの利用履歴に加え、近距離無線通信デバイス２ｂの利用履歴と、セキュアメモリカード２ｃの利用履歴が記憶される。
【００３１】
ＩＣトークン２に記憶される自身の利用履歴は、移動体通信端末１のアプリケーションがＩＣトークン２を利用した時に、移動体通信端末２に実装されたアプリケーションまたはＩＣトークン２と通信するリーダライタによってＩＣトークン２のメモリに書き込まれる。
【００３２】
例えば、ＳＩＭカード２ａは、移動体通信端末１の通信機能によって利用され、ＳＩＭカード２ａのメモリには、移動体通信端末１の通信機能によって移動体通信端末１の通信履歴が利用履歴として書き込まれる。
【００３３】
また、近距離無線通信デバイス２ｂは、例えば、電子マネー用途に利用され、近距離無線通信デバイス２ｂのメモリには、電子マネー端末によって、電子マネーにかかる利用履歴が書き込まれる。
【００３４】
更に、セキュアメモリカード２ｃは、例えば、電子書籍用途に利用され、セキュアメモリカード２ｃに実装されたＩＣカード用のＩＣチップのメモリには、電子書籍にかかる利用履歴が書き込まれる。
【００３５】
これに対し、ＩＣトークン２に記憶される他のＩＣトークン２の利用履歴は、移動体通信端末１に備えられた同期手段１０によって書き込まれる。例えば、ＳＩＭカード２ａには、近距離無線通信デバイス２ｂおよびセキュアメモリカード２ｃの利用履歴が同期手段１０によって書き込まれる。
【００３６】
なお、利用履歴の同期を取るためには、ＩＣトークン２に記憶される他のＩＣトークン２の利用履歴をそれぞれが識別することが必要であり、本実施形態では、少なくとも他のＩＣトークン２の利用履歴に、利用履歴に対応するＩＣトークン２の固有番号が付加される。
【００３７】
次に、ＩＣトークン２間で利用履歴を同期する内容について説明する。図５は、ＩＣトークン２間で利用履歴を同期する内容を説明する図である。
【００３８】
ＩＣトークン２間で利用履歴を同期させるとは、ＩＣトークン２に保存されている利用履歴をＩＣトークン２間で同一に揃えることを意味する。
【００３９】
図５に図示したように、本実施形態の移動体通信端末１には、ＩＣトークン２として、近距離無線通信デバイス２ｂ、ＳＩＭカード２ａおよびセキュアメモリカード２ｃが搭載されるため、移動体通信端末１の同期手段１０は、近距離無線通信デバイス２ｂの利用履歴を、ＳＩＭカード２ａおよびセキュアメモリカード２ｃにそれぞれ保存する。
【００４０】
また、移動体通信端末１の同期手段１０は、ＳＩＭカード２ａの利用履歴を、近距離無線通信デバイス２ｂおよびセキュアメモリカード２ｃにそれぞれ保存する。更に、移動体通信端末１の同期手段１０は、セキュアメモリカード２ｃの利用履歴を、ＳＩＭカード２ａおよび近距離無線通信デバイス２ｂにそれぞれ保存する。
【００４１】
図６は、移動体通信端末１の同期手段１０が実行する処理を説明するフロー図である。図６に図示しているように、ＩＣトークン２間で利用履歴の同期を開始するトリガーとなる同期トリガーが移動体通信端末１内で発生すると（Ｓ１）、移動体通信端末１の同期手段１０は、移動体通信端末１に搭載されているＩＣトークン２毎に、ＩＣトークン２の利用履歴を読み出し、読み出した利用履歴を他のＩＣトークン２へ保存する同期処理（Ｓ２）を実行する。
【００４２】
ＩＣトークン２間で利用履歴の同期を開始するトリガーとなる同期トリガーは１種類でなくともよく、複数の種類のトリガーを同期トリガーとして利用することができる。例えば、移動体通信端末１の電源がＯＮ／ＯＦＦされる時、通信エリアが変わった時などを、同期トリガーとすることができる。
【００４３】
更に、移動体通信端末１に搭載されるＩＣトークン２には、ＳＩＭカード２ａやセキュアメモリカード２ｃなど着脱可能なＩＣトークン２も含まれるため、着脱可能なＩＣトークン２が移動体通信端末１にマウントされたことを同期トリガーとして利用することもできる。着脱可能なＩＣトークン２が移動体通信端末１にマウントされたことを同期トリガーとして利用すると、着脱可能なＩＣトークン２が移動体通信端末１から外されていた期間の利用履歴をも同期が取れるようになる。
【００４４】
図６のＳ２において、移動体通信端末１の同期手段１０が実施する同期処理（Ｓ２）の具体的な手法は様々考えられる。例えば、利用履歴を読み出したＩＣトークン２の固有番号が付加された利用履歴を他のＩＣトークン２から削除した後、ＩＣトークン２の固有番号を付加した利用履歴を他のＩＣトークン２へ書き込む手法が考えられる。
【００４５】
また、ＩＣトークン２から読み出した利用履歴全てを他のＩＣトークン２へ書き込むと同期処理（Ｓ２）に要する時間が長くなるため、利用履歴を読み出したＩＣトークン２の固有番号を利用して、ＩＣトークン２から読み出した利用履歴と、他のＩＣトークン２に既に記憶されている利用履歴の差分を求め、差分のみを他のＩＣトークン２に書き込むようにすることもできる。
【００４６】
本実施形態において、移動体通信端末１の同期手段１０は、同期処理（Ｓ２）を行った後、同期処理（Ｓ２）で同期させた利用履歴をＩＣトークン２間で比較することで利用履歴の整合性を検証する整合性検証処理を実行する（Ｓ３）。
【００４７】
移動体通信端末１の同期手段１０は、整合性検証処理において不整合が生じている利用履歴があれば、この利用履歴を表示してユーザに正しい利用履歴を選択させ、不整合が生じている利用履歴をユーザが選択した利用履歴に統一する利用履歴補正処理を実施し（Ｓ４）、この手順を終了する。また、移動体通信端末１の同期手段１０は、整合性検証処理において不整合が生じている利用履歴がなければ、利用履歴補正処理を行うことなく、この手順は終了する。
【００４８】
同期処理（Ｓ２）において、他のＩＣトークン２に記憶させる利用履歴は、ＩＣトークン２に記憶される全ての利用履歴であってもよいが、トラブル発生時にさほど必要とされない利用履歴もあるため、本実施形態の移動体通信端末１において、移動体通信端末１の同期手段１０は、同期対象となる利用履歴を予めユーザに指定させる同期対象指定部を有し、ユーザがＩＣトークン２間で同期させる利用履歴を選択できるようにしている。
【００４９】
同期手段１０の同期対象指定部は、ユーザがＩＣトークン２間で同期させる利用履歴を選択させる際、移動体通信端末１に実装されているアプリケーションの一覧を表示し、ＩＣトークン２間で利用履歴を同期させるアプリケーションをユーザに選択させ、同期手段１０は、同期処理（Ｓ２）において、ユーザが選択したアプリケーションに対応する利用履歴のみをＩＣトークン２間で同期させる。
【００５０】
例えば、セキュアメモリカード２ｃを電子書籍の用途に利用する場合、トラブル時にはユーザが購入した電子書籍さえわかればよいので、移動体通信端末１の同期手段１０は、ＩＣトークン２間で利用履歴を同期させるアプリケーションに電子書籍のアプリケーションが設定されていない場合、同期処理（Ｓ２）において、電子書籍の用途にかかる利用履歴を他のＩＣトークン２に保存する処理を実行しない。
【００５１】
また、これまでの説明では、移動体通信端末１の同期手段１０が同期させるＩＣトークン２内の情報を利用履歴としていたが、利用履歴以外の情報も同期させるようにしてもよい。
【００５２】
移動体通信端末１に搭載されるＩＣトークン２には、利用履歴以外に、ＩＣトークン２を利用するアプリケーションのアプリケーション情報が記憶されるため、アプリケーション情報もＩＣカード間で同期できるようにするとよい。
【００５３】
アプリケーション情報を同期させる際、移動体通信端末１の同期手段１０は、同期処理（Ｓ２）において、ＩＣトークン２に記憶されているアプリケーション情報を読み取り、読み取ったアプリケーション情報を他のＩＣトークン２に保存する処理を実行する。
【００５４】
例えば、ＳＩＭカード２ａには、頻繁に連絡を取り合う通信相手の連絡先が記されたアドレス帳が記憶されるため、同期手段１０は、ＳＩＭカード２ａには記憶されているアドレス帳を、ＳＩＭカード２ａ以外のＩＣトークン２（ここでは、近距離無線通信デバイス２ｂとセキュアメモリカード２ｃ）に保存する。
【００５５】
また、近距離無線通信デバイス２ｂには、近距離無線通信デバイス２ｂを利用するアプリケーションのアプリケーション情報（例えば、電子マネーの残高）が記憶されるため、同期手段１０は、近距離無線通信デバイス２ｂに記憶されているアプリケーション情報を、近距離無線通信デバイス２ｂ以外のＩＣトークン２（ここでは、ＳＩＭカード２ａとセキュアメモリカード２ｃ）に保存する。
【００５６】
更に、移動体通信端末１の同期手段１０が同期処理（Ｓ２）を実施する際に、利用履歴を読み出すＩＣトークン２の動作を検証し、利用履歴以外の情報として、動作の検証結果を他のＩＣトークン２に保存するようにしてもよい。
【００５７】
このように、本実施形態にかかる移動体通信端末１によれば、移動体通信端末１の同期手段１０が、同期トリガーが発生すると、移動体通信端末１に搭載されているＩＣトークン２毎に、ＩＣトークン２の利用履歴を読み出し、読み出した利用履歴を他のＩＣトークン２へ保存することで、ＩＣトークン２の利用履歴を同じ移動体通信端末１に搭載された他のＩＣトークン２にバックアップ保存できるようになる。
【００５８】
更に、着脱可能なＩＣトークン２が移動体通信端末１にマウントされたことを少なくとも同期トリガーとすることで、該ＩＣトークン２が取り外しされていた時の利用履歴をも同期できるようになる。
【００５９】
更に、移動体通信端末１の同期手段１０が同期対象指定部を有することで、ユーザが指定した利用履歴のみをＩＣトークン２間で同期させることができるようになる。
【００６０】
更に、移動体通信端末１の同期手段１０が、整合性検証処理（Ｓ３）や利用履歴補正処理（Ｓ４）を実行することで、ＩＣトークン２間で不整合が生じている利用履歴があっても、不整合が生じている利用履歴を補正することができるようになる。
【００６１】
更に、本実施形態において、利用履歴に加え、ＩＣトークン２のアプリケーション情報や、ＩＣトークン２の動作の検証結果をＩＣトークン２間で同期させることもできる。
【符号の説明】
【００６２】
１    移動体通信端末
２    ＩＣトークン
２ａ  ＳＩＭ
２ｂ  近距離無線通信デバイス
２ｃ  セキュアメモリカード
１０  同期手段
【図１】
2014075732.tif 000003
【図２】
2014075732.tif 000004
【図３】
2014075732.tif 000005
【図４】
2014075732.tif 000006
【図５】
2014075732.tif 000007
【図６】
2014075732.tif 000008